(57)【特許請求の範囲】
【請求項１】
前後の車両同士を連結する連結部における前記車両間の空間を塞ぐ高速鉄道車両の外幌装置において、
前記車両間の空間のうち屋根部間の空間を塞ぐ屋根部外幌機構と、前記車両間の空間のうちの車両の左右側部間の空間を塞ぐ左右の側部外幌機構とを有し、それらがそれぞれ独立して稼働するように構成されており、
前記左右の側部外幌機構は、それぞれ、
前後の車両のうち一方の車両の妻面に固定され前記側部間の空間のうち前記一方の車両の妻面側の部分を塞ぐ固定外幌と、
前記固定外幌と間隔をあけて設けられる可動外幌と、
前記固定外幌と可動外幌との外周縁の間に設けられる可撓性外幌と、
前記可動外幌を前記一方の車両の妻面に片持支持し、前記側部間の空間の縮小を、前記可動外幌を車両中心側へ変位させ前記可撓性外幌を撓み変形させることで、吸収するリンク機構と
を備えることを特徴とする高速鉄道車両の外幌装置。
【請求項２】
前記可動外幌は、前記可撓性外幌が連結される側とは反対側の端縁に車両中心側に延びる可動側摺動板を備え、
前記前後の車両のうち他方の車両の妻面に、前記可動側摺動板に対応する固定側摺動板が設けられていることを特徴とする請求項１記載の高速鉄道車両の外幌装置。
【請求項３】
前記リンク機構は、
一端部が前記一方の車両の妻面側に、他端部が前記可動側摺動板にそれぞれ回転可能に取り付けられる第１のリンク部材と、
前記第１のリンク部材の上下の少なくとも一方に取り付けられ一端部が前記一方の車両の妻面側に車両幅方向に移動可能に支持され、他端部が前記可動側摺動板側に可動側摺動板幅方向に移動可能に支持されている第２のリンク部材とを備え、
前記第１のリンク部材と第２のリンク部材とは、平面視で交差していることを特徴とする請求項２記載の高速鉄道車両の外幌装置。
【請求項４】
前記第１のリンク部材の、前記第２のリンク部材が設けられている側には係合部が突出して設けられ、前記係合部が前記第２のリンク部材に形成された被係合部に回転可能に係合されていることを特徴とする請求項３記載の高速鉄道車両の外幌装置。
【請求項５】
前記第１のリンク部材は板状で、前記一方の車両の妻面側に取り付けられる前記一端部が、前記一方の車両の妻面側の支持ブラケットに回転可能に支持されており、
前記第１のリンク部材の前記一端部には、前記第１のリンク部材を介して前記可動側摺動板を前記他方の車両の妻面側に付勢する第１のバネ材が設けられている請求項３または４記載の高速鉄道車両の外幌装置。
【請求項６】
前記第１のリンク部材は板状で、前記一方の車両の妻面側に取り付けられる前記一端部が、前記一方の車両の妻面側に取り付けられた支持ブラケットに回転可能に支持され、前記可動側摺動板側に取り付けられる前記他端部が、前記可動側摺動板に取り付けられた支持ブラケットに回転可能に支持されており、
前記第２のリンク部材の各端部に係合部材が設けられるとともに、前記妻面側に前記係合部材が車両幅方向に移動可能に係合する被係合部材が設けられ、
前記第２のリンク部材の一端側に設けられる係合部材と前記第１のリンク部材の一端側を支持する支持ブラケットとの間に、前記第２のリンク部材を介して前記可動側摺動板を前記他方の車両の妻面側に付勢する第２のバネ材が設けられている請求項３または４記載の高速鉄道車両の外幌装置。
【発明の詳細な説明】
【技術分野】
【０００１】
本発明は、前後の車両同士を連結する連結部における車両間の空間を塞ぐ高速鉄道車両の外幌装置に関するものである。
【背景技術】
【０００２】
高速鉄道車両の走行時には、その車体の側部や屋根部に沿って走行風が流れるので、この走行風により、車体表面に凹凸部があると、激しい渦流が生じて、風切り騒音が増大し、また、走行抵抗が増大する。従って、高速鉄道車両の場合、車両連結部において車両間に空間があると、風切り騒音と走行抵抗力が増大する原因となり、大きな問題である。
【０００３】
そこで、前後の車両同士を連結する連結部における前記車両間の空間を外幌装置で塞ぐことが一般に行われている。
【０００４】
そのような外幌装置として、車両の妻壁に固定されて前記側部間の空間の妻壁側部分を塞ぐ帯板状の固定外幌と、前記固定外幌に隣接状に可動に配設された帯板状の第１可動外幌と、前記第１可動外幌を、固定外幌と直列的に並ぶ整列位置に保持可能で且つ固定外幌の内方側に少なくとも部分的に重なる縮退位置に移動可能に前記妻壁に支持する第１リンク機構と、第１可動外幌に対し固定外幌と反対側において第１可動外幌に隣接状に可動に配設された帯板状の第２可動外幌と、前記第２可動外幌を、整列位置にある第１可動外幌と直列的に並ぶ整列位置に保持可能で且つ第１可動外幌の内方側に少なくとも部分的に重なる縮退位置に移動可能に、前記第１可動外幌が固定支持された支持フレームに支持する第２リンク機構とを備えるものが提案されている（例えば特許文献１参照）。
【特許文献１】特開２００７−２８３８１２号公報（段落００９２〜００９４および図１１〜図１３）
【発明の開示】
【発明が解決しようとする課題】
【０００５】
しかしながら、この特許文献１の外幌装置は、第１および第２の可動外幌をそれぞれ第１および第２のリンク機構で可動させるものであり、２つのリンク機構を用いるので、全体の構造が複雑になり、重量面でも不利である。
【０００６】
また、最近の高速鉄道車両に採用されているように、弾性外幌を、前後の車両の、対向する妻面の両方に取り付ける構造では、連結車両の連結・分離の際に、連結機の連結・分離のほか、弾性外幌の一端部の取り付け・取り付け解除をしなければならないので、車両の連結や分離の作業が面倒になる。
【０００７】
本発明は、簡単な構造で、重量をあまり大きくすることなく、前後の車両同士を連結する連結部における前記車両間の空間を塞ぐことができ、車両の連結や分離の作業が容易である高速鉄道車両の外幌装置を提供する。
【課題を解決するための手段】
【０００８】
請求項１の発明は、前後の車両同士を連結する連結部における前記車両間の空間を塞ぐ高速鉄道車両の外幌装置において、前記車両間の空間のうち屋根部間の空間を塞ぐ屋根部外幌機構と、前記車両間の空間のうちの車両の左右側部間の空間を塞ぐ左右の側部外幌機構とを有し、それらがそれぞれ独立して稼働するように構成されており、前記左右の側部外幌機構は、それぞれ、前後の車両のうち一方の車両の妻面に固定され前記側部間の空間のうち前記一方の車両の妻面側の部分を塞ぐ固定外幌と、前記固定外幌と間隔をあけて設
けられる可動外幌と、前記固定外幌と可動外幌との外周縁の間に設けられる可撓性外幌と、前記可動外幌を前記一方の車両の妻面に片持支持し、前記側部間の空間の縮小を、前記可動外幌を車両中心側へ変位させ前記可撓性外幌を撓み変形させることで、吸収するリンク機構とを備えることを特徴とする。ここで、可撓性外幌は、ゴムなどの弾性材料で形成される。
【０００９】
このようにすれば、直線走行状態では、固定外幌、可撓性外幌および可動外幌が、リンク機構によって、車体外側面とほぼ面一になるように、前後の車両間の空間のうちの前記車両の左右側部間の空間が塞がれる。一方、旋回走行状態では、一側部側において、前記側部間の空間が縮小されるが、このとき、リンク機構によって可動外幌が車両中心側に変位せしめられ、それに伴い前記可撓性外幌も車両中心側に撓み変形するので、その撓み変形によって前記縮小が吸収される。
【００１０】
請求項２に記載のように、前記可動外幌は、前記可撓性外幌が連結される側とは反対側の端縁に車両中心側に延びる可動側摺動板を備え、前記前後の車両のうち他方の車両の妻面に、前記可動側摺動板に対応する固定側摺動板が設けられている構成とすることができる。ここで、「摺動板」は、例えば、金属板、繊維強化プラスチック板などの帯状の剛性材料で形成される。
【００１１】
このようにすれば、旋回走行状態では、可動外幌側の可動側摺動板が、これに対応する固定側摺動板に摺動しつつ変位するので、前述した可撓性外幌の車両中心側への撓み変形が行われ、可動外幌を車両中心側へスムーズに変位させる。
【００１２】
請求項３に記載のように、前記リンク機構は、一端部が前記一方の車両の妻面側に、他端部が前記可動側摺動板にそれぞれ回転可能に取り付けられる第１のリンク部材と、前記第１のリンク部材の上下の少なくとも一方に取り付けられ一端部が前記一方の車両の妻面側に車両幅方向に移動可能に支持され、他端部が前記可動側摺動板側に可動側摺動板幅方向に移動可能に支持されている第２のリンク部材とを備え、前記第１のリンク部材と第２のリンク部材とは、平面視で交差している構成とすることができる。
【００１３】
このようにすれば、第２のリンク部材は、一端部が前記一方の車両の妻面側に車両幅方向に移動可能に支持され、他端部が前記可動側摺動板側に可動側摺動板幅方向に移動可能に支持されているので、可動外幌が無理なく変位せしめられる。
【００１４】
請求項４に記載のように、前記第１のリンク部材の、前記第２のリンク部材が設けられている側には係合部が突出して設けられ、前記係合部が前記第２のリンク部材に形成された被係合部に回転可能に係合されていることが望ましい。
【００１５】
このようにすれば、第２リンク部材の回転変位が、第１のリンク部材と第２のリンク部材との係合部分を回転中心としてスムーズに行われる。
【００１６】
請求項５に記載のように、前記第１のリンク部材は板状で、前記一方の車両の妻面側に取り付けられる前記一端部が、前記一方の車両の妻面側の支持ブラケットに回転可能に支持されており、前記第１のリンク部材の前記一端部には、前記第１のリンク部材を介して前記可動側摺動板を前記他方の車両の妻面側に付勢する第１のバネ材が設けられている構成とすることが可能である。
【００１７】
このようにすれば、旋回走行状態から直線走行状態に戻る際には、第１のバネ材のバネ力によって、第１のリンク部材を介して前記可動側摺動板が前記他方の車両の妻面側に付勢される。これによって第１のリンク部材が初期位置に戻され、リンク機構が初期状態に
復帰する。
【００１８】
請求項６に記載のように、前記第１のリンク部材は板状で、前記一方の車両の妻面側に取り付けられる前記一端部が、前記一方の車両の妻面側に取り付けられた支持ブラケットに回転可能に支持され、前記可動側摺動板側に取り付けられる前記他端部が、前記可動側摺動板に取り付けられた支持ブラケットに回転可能に支持されており、前記第２のリンク部材の各端部に係合部材が設けられるとともに、前記妻面側に前記係合部材が車両幅方向に移動可能に係合する被係合部材が設けられ、前記第２のリンク部材の一端側に設けられる係合部材と前記第１のリンク部材の一端側を支持する支持ブラケットとの間に、前記第２のリンク部材を介して前記可動側摺動板を前記他方の車両の妻面側に付勢する第２のバネ材が設けられている構成とすることが可能である。
【００１９】
このようにすれば、旋回走行状態から直線走行状態に戻る際には、第２のバネ材のバネ力によって、第２のリンク部材を介して前記可動側摺動板が前記他方の車両の妻面側に付勢される。これによって第２のリンク部材が初期位置に戻され、リンク機構が初期状態に復帰する。
【発明の効果】
【００２０】
本発明は、上記のように、側部間の空間の縮小を、可動外幌を車両中心側へ変位させ、それに応じて可撓性外幌を撓み変形させることで、吸収するようにしたから、簡単な構造で、重量をあまり大きくすることなく、前後の車両同士を連結する連結部における前記車両間の空間を塞ぐことができる。
【００２１】
また、可動外幌はリンク機構を介して前記一方の車両の妻面に片持支持されているだけで、他方の車両とは分離されているので、連結車両の連結・分離作業は、連結器の連結・連結解除作業だけでよく、車両の連結作業や分離作業が簡単になる。
【００２２】
さらに、可撓性外幌は、旋回走行状態では、車両中心側へ撓み変形するようにしているので、万一リンク機構が故障しても、車両限界を侵すおそれがない。
【発明を実施するための最良の形態】
【００２３】
以下、本発明の実施の形態を図面に沿って説明する。
【００２４】
図１は本発明の一実施の形態に係る高速鉄道車両の外幌装置を、後側の車両から見た状態を示す正面図、図２は前後の車両同士を連結する連結部の平面図、図３は前記連結部の側面図、図４は前記連結部の側部の水平断面を示す図、図５は前記外幌装置の右側部分を拡大して示す正面図、図６はリンク機構の説明図である。
【００２５】
図１〜図３に示すように、高速鉄道車両の外幌装置１は、前後の車両２，３同士を連結する連結部における前記車両２，３間の空間を塞ぐもので、前記車両間の空間のうちの車両の左右側部間の空間４を塞ぐ左右の側部外幌機構５，６と、前記車両間の空間のうち屋根部間の空間７を塞ぐ屋根部外幌機構８とを有し、それらがそれぞれ独立して稼働するように構成されている。屋根部外幌機構８は妻面出入り口Ｓの上に、左右の側部外幌機構５，６は妻面出入り口Ｓの左右にそれぞれ、前記妻面出入り口Ｓから離れて配置され、外幌装置１が動作しても妻面出入り口Ｓに接続される通路部分などと干渉しないようにされている。ここで、側部外幌機構５，６および屋根部外幌機構８とは、前側の車両２の妻面２ａに設けられているものとして説明するが、往路で前側車両は復路で後側車両となる。
【００２６】
側部外幌機構５は、妻面２ａの外周部分において上下方向に延びるように配置され、外側面が車体外側面とほぼ面一となる板状の固定外幌１２および可動外幌１３と、それらの間に配置されそれらの内側でそれらを連結する可撓性外幌１４とを備える。これらは、それぞれ、前記車両間の空間のほぼ１／３の前後幅に配置され、連結部における車両間の側
部間の空間の平滑化と、乗客などの転落防止とを図るようになっている。そして、可動外幌１３が、後述するリンク機構１５によって、前側の車両２の妻面２ａに片持支持され、前記側部間の空間４の縮小を、可動外幌１３を車両中心側へ変位させ可撓性外幌１４の中央部分を撓み変形させることで、その可撓性外幌１４の中央部分の撓み変形により吸収する構成とされている。
【００２７】
まず、左右の側部外幌機構５，６について説明するが、左右の側部外幌機構５，６は左右対称の構造であるので、後側の車両３から見て右側の側部外幌機構５について説明する。
【００２８】
固定外幌１２は、前側の車両２に固定され、前記側部間の空間４のうち前側の車両２の妻面２ａ側の部分を塞ぐようになっている。具体的には、図４に示すように、固定外幌１２の妻面２ａ側の内側面には、妻面２ａと平行に延びる取付板２１が車両中心側に突出するように設けられ、この取付板２１がライナー２２を介して車体フレーム２３にボルト２４によって固定されている。固定外幌１２と取付板２１とが、補強ステー２５にて連結されている。また、可動外幌１３は、固定外幌１２とは間隔をあけてほぼ並行に設けられ、後側の車両３の妻面３ａ側の部分を主として塞ぐようになっている。可撓性外幌１４は、固定外幌１２と可動外幌１３との間に設けられ、それらを連結してそれらの間を塞ぐようになっている。
【００２９】
可動外幌１３は、可撓性外幌１４が連結される側とは反対側の端縁に、車両中心側に延びる略逆Ｊ字形状の可動側摺動板２６を備える。また、後側の車両３の妻面３ａに可動側摺動板２６に対応する固定側摺動板２７が設けられている。これにより、直線走行時にはこれらの摺動板２６，２７は面接触しているが、旋回走行時には、可動外幌１３側の可動側摺動板２６が、これに対応する固定側摺動板２７上を摺動しつつ変位するので、前述した可撓性外幌１４の中央部分の、車両中心側への撓み変形が行われ、可動外幌１３を車両中心側へスムーズに変位させるようにしている。そして、これらの摺動板２６，２７の摺動により、枕木方向および上下方向の相対変位は吸収されるようになっている。
【００３０】
リンク機構１５は、図５〜図７に示すように、第１のリンク部材３１と、第２のリンク部材３２Ａ，３２Ｂとを備える。第１のリンク部材３１は、軽量化のために複数の開孔３１ａ，３１ｂを有する板状で、一端部が前側の車両２（一方の車両）の妻面２ａ側に、他端部が可動側摺動板２６側にそれぞれ回転可能に取り付けられている。
【００３１】
つまり、第１のリンク部材３１の一端部は、上下において、それぞれ上下１対の支持ブラケット３３Ａ，３３Ｂに回転可能に支持されている。支持ブラケット３３Ａ，３３Ｂは、妻面２ａに固定されたベース板３４Ａに取り付けられている。第１のリンク部材３１の他端部も、上下において、それぞれ、可動側摺動板２６に取り付けられる上下１対の支持ブラケット３５Ａ，３５Ｂに回転可能に支持されている。
【００３２】
第２のリンク部材３２Ａ，３２Ｂは、第１のリンク部材３１を挟んで上下に取り付けられる１対で構成され、それぞれ、一端部が前側の車両２の妻面２ａ側に車両幅方向に移動可能に支持される一方、他端部が可動側摺動板２６側に可動側摺動板幅方向に移動可能に支持されている。
【００３３】
つまり、第２のリンク部材３２Ａ，３２Ｂの一端部がスライダ３６Ａ，３６Ｂに回転可能に設けられる一方、妻面２ａ側にスライダ３６Ａ，３６Ｂがスライド可能に係合するガイドレール３７Ａ，３７Ｂが設けられることで、前記一端部が妻面２ａに対し車両幅方向に移動可能に支持される構成とされている。ガイドレール３７Ａ，３７Ｂは、妻面２ａにベース板３４Ａと並んで固定されたベース板３４Ｂに取り付けられている。
【００３４】
第２のリンク部材３２Ａ，３２Ｂの他端部にはローラ３８Ａ，３８Ｂが回転可能に設けられる一方、可動側摺動板２６側に、可動側摺動板の幅方向に延びる案内孔３９Ａａ，３９Ｂａを有する支持ブラケット３９Ａ，３９Ｂが設けられ、ローラ３８Ａ，３８Ｂが案内孔３９Ａａ，３９Ｂａに移動可能に係合している。
【００３５】
また、スライダ３６Ａ，３６Ｂと支持ブラケット３３Ａ，３３Ｂとの間に、第２のリンク部材３２Ａ，３２Ｂを介して可動側摺動板２６を後側の車両３の妻面３ａ側に付勢するバネ材４０Ａ，４０Ｂ（第２のバネ材）が設けられている。さらに、第１のリンク部材３１の、支持ブラケット３３Ａ，３３Ｂにて回転可能に支持される部分にも、ねじりスプリング４１Ａ，４１Ｂ（第１のバネ材）が適用され、このねじりスプリング４１Ａ，４１Ｂによっても第１のリンク部材３１を介して、可動側摺動板２６を前記後側の車両３の妻面３ａ側に付勢するようになっている。
【００３６】
そして、第１のリンク部材３１の上下端部には上下軸部３１ｃ，３１ｄが突出して設けられ、上下軸部３１ｃ，３１ｄがそれぞれ第２のリンク部材３２Ａ，３２Ｂに形成された貫通孔３２Ａａ，３２Ｂａ（または凹部）に回転可能に挿入され、先端ネジ部にナット４２が螺合されることで連結されている。これにより、第１のリンク部材３１と第２のリンク部材３２とは、平面視で交差して、平面視でＸ字状になっている。
【００３７】
また、屋根部外幌機構８は、前側車両２の妻面２ａに固定された屋根側固定外幌５１と、屋根側可動外幌５２と、この屋根側可動外幌５２を整列位置に保持可能でかつ屋根側固定外幌５１の外方側に部分的に重なる縮退位置に移動可能に妻面２ａに支持するリンク機構５３を備える。そして、これら両外幌５１，５２はアルミニウム又はアルミニウム合金製の正面視にて円弧状の帯板で構成され、屋根側固定外幌５１の前後幅は車両間の空間の約１／３の前後幅に形成され、屋根側可動外幌５２の前後幅は車両間の空間の約２／３の前後幅に形成されている。屋根側固定外幌５１は前側車両２の妻面２ａの外周部のうちの屋根側部分に固定され、その外面は車体屋根部の外表面とほぼ面一の面になる。なお、屋根部外幌機構８は、特開２００７−２８３８１２号公報に記載のものと実質的に同一であるので、その詳細な説明を省略する。なお、この実施の形態では、側部外幌機構５，６を、特開２００７−２８３８１２号公報に記載のものよりも簡素化しているので、装置全体の重量が２０％程度低減されている。
【００３８】
そして、直進走行時には、図８（ａ）に示すように、固定外幌１２，可撓性外幌１４および可動外幌１３が、軌道方向に沿って平面視で直線状に整列された状態が保持される。これにより、風切り騒音と走行抵抗力とが低減される。
【００３９】
また、旋回走行時またはポイント切替点の走行時には、連結部の一方の側においては、側部間の空間が縮小される方向に変化するので、その側部間の空間が縮小する側では、まず、図８（ｂ）に示すように、可動外幌１３が後側の車両３の妻面３ａにて車両中心側に押され、摺動板２６，２７同士の相対摺動により、車両中心側に移動する。このように可動外幌１３が移動すると、可動外幌１３が固定外幌１２よりも車両中心側に位置することとなり、可撓性外幌１４が可撓性を有することから、前記側部間の空間の縮小を吸収するように、可撓性外幌１４の中央部分が車両中心側に向かって突出するように撓むように変形する。このとき、可動外幌１３の車両中心側への変位により、第２のリンク部材３２Ａ，３２Ｂも、車両中心側に移動し、スライダ３６Ａ，３６Ｂがガイドレール３７Ａ，３７Ｂに沿って車両中心側に移動する。このとき、可動外幌１３が車両中心側に変位する際に、ローラ３８Ａ，３８Ｂは案内孔３９Ａａ，３９Ｂａに案内されつつ移動し、ローラ３８Ａ，３８Ｂと案内孔３９Ａａ，３９Ｂａとの係合関係で、可動外幌１３の変位方向が規制される。
【００４０】
側部間の空間がさらに縮小されると、図８（ｃ）に示すように、可動外幌１３が、固定外幌１２の内方側に移動するように変位するので、それに伴い可撓性外幌１４も大きく撓み変形する。
【００４１】
さらに側部間の空間が縮小されると、図８（ｄ）に示すように、ローラ３８Ａ，３８Ｂが案内孔３９Ａａ，３９Ｂａの端部に当接して案内孔３９Ａａ，３９Ｂａ内を移動できなくなるので、それ以降は、ローラ３８Ａ，３８Ｂが案内孔３９Ａａ，３９Ｂａの端部に当接した状態を維持したまま、スライダ３６Ａ，３６Ｂがガイドレール３７Ａ，３７Ｂに沿って移動することで、前記側部間の空間の縮小が許容される。
【００４２】
最終的には、図８（ｅ）に示すように、第１のリンク部材３１がほぼ車幅方向に沿うようになり、第１のリンク部材３１によって第２のリンク部材３２Ａ，３２Ｂのそれ以上の変位が規制される。
【００４３】
一方、旋回走行状態から直進走行状態に戻る際には、前述した場合とは逆の動きとなるが、その逆の動きはバネ材４０Ａ，４０Ｂおよびねじりスプリング４１Ａ，４１Ｂのバネ力によって補助される。
【００４４】
なお、屋根側可動外幌５２も、直進走行する時には整列位置を保持し、旋回走行する際又はポイント切り換え地点走行時に、屋根部空間の左側又は右側の一部が縮小する際には、後側車両３の妻面３ａで押されてその縮小の程度に応じて縮退位置の方へ移動する。屋根側可動外幌５２が整列位置にあるときその外面は屋根側固定外幌５１の外面とほぼ面一の面になる。
【００４５】
前記実施の形態は、第１のリンク部材３１の上下の第２のリンク部材３２Ａ，３２Ｂを設けているが、上下のうち少なくとも一方にだけに第２のリンク部材を設けるようにすることも可能である。
【図面の簡単な説明】
【００４６】
【図１】本発明の一実施の形態に係る高速鉄道車両の外幌装置を、後側の車両から見た状態を示す正面図である。
【図２】前記連結部の平面図である。
【図３】前記連結部の側面図である。
【図４】前記連結部の側部の水平断面を拡大して示す図である。
【図５】前記外幌装置の右側部分を拡大して示す正面図である。
【図６】図７のＢ−Ｂ方向の矢視図である。
【図７】図５のＡ−Ａ方向の矢視図である。
【図８】（ａ）〜（ｅ）はそれぞれ動作説明図である。
【符号の説明】
【００４７】
Ｓ    妻面出入り口
１    高速鉄道車両の外幌装置
２    前側の車両
２ａ    妻面
３    後側の車両
３ａ    妻面
４    側部の空間
５，６    側部外幌機構
８    屋根部外幌機構
１２    固定外幌
１３    可動外幌
１４    可撓性外幌
２６    可動側摺動板
２７    固定側摺動板
３１    第１のリンク部材
３１ｃ，３１ｄ    軸部
３２Ａ，３２Ｂ    第２のリンク部材
３３Ａ，３３Ｂ    支持ブラケット
３６Ａ，３６Ｂ    スライダ
３７Ａ，３７Ｂ    ガイドレール
３８Ａ，３８Ｂ    ローラ（係合部材）
３９Ａ，３９Ｂ    支持ブラケット
３９Ａａ，３９Ｂａ    案内孔
４０Ａ，４０Ｂ    バネ材（第２のバネ材）
４１Ａ，４１Ｂ    ねじりスプリング（第１のバネ材）
【図１】
0005068193.tif 000002
【図２】
0005068193.tif 000003
【図３】
0005068193.tif 000004
【図４】
0005068193.tif 000005
【図５】
0005068193.tif 000006
【図６】
0005068193.tif 000007
【図７】
0005068193.tif 000008
【図８】
0005068193.tif 000009